(57)【要約】【課題】屋内に雨滴が浸入する可能性があるか否かを単一のセンサで検出することを可能にする。【解決手段】降雨センサ１０は、屋外に露出した建具２０に取り付けられるフレームと、フレームに設けられたセンシング部とを備える。建具２０は、複数の羽根板２２が上下に並ぶルーバ２１を含む。センシング部は、雨滴の付着により降雨を検出する構成である。フレームは、センシング部において雨滴の付着を検知する面が、ルーバ２１に対して屋内側に位置しかつ複数の羽根板２２が並ぶ面に沿うように配置される。【選択図】図１
2016156224.tif 000002
【特許請求の範囲】
【請求項１】
屋外に露出した建具に取り付けられるフレームと、
前記フレームに設けられたセンシング部とを備え、
前記建具は、複数の羽根板が上下に並ぶルーバを含み、
前記センシング部は、雨滴の付着により降雨を検出する構成であり、
前記フレームは、前記センシング部において雨滴の付着を検知する面が、前記ルーバに対して屋内側に位置しかつ前記複数の羽根板が並ぶ面に沿うように配置される
ことを特徴とする降雨センサ。
【請求項２】
前記ルーバは、前記複数の羽根板それぞれに定めた回転中心の周りで前記羽根板それぞれの端部が上下に移動可能となる構成であって、
前記フレームは、前記複数の羽根板から選択した羽根板において、前記回転中心の周りに結合する取付部を備える
ことを特徴とする請求項１記載の降雨センサ。
【請求項３】
前記取付部は、前記選択した羽根板において前記回転中心の周りに形成された貫通孔を通り、かつ前記回転中心である軸部を通す形状に形成された掴み部を備える
ことを特徴とする請求項２記載の降雨センサ。
【請求項４】
前記取付部は、前記選択した羽根板の前記回転中心に対して屋内側に延びた支持脚を備えている
ことを特徴とする請求項２又は３記載の降雨センサ。
【請求項５】
複数の羽根板が上下に並び、かつ屋外に露出するルーバと、
雨滴の付着により降雨を検出するセンシング部を有する降雨センサとを備え、
前記降雨センサは、前記センシング部において雨滴の付着を検知する面が、前記ルーバに対して屋内側に位置しかつ前記複数の羽根板が並ぶ面に沿うように前記ルーバに取り付けられている
ことを特徴とするルーバ装置。
【請求項６】
前記降雨センサは、前記ルーバの下部に配置されている
ことを特徴とする請求項５記載のルーバ装置。
【請求項７】
前記ルーバは、前記複数の羽根板それぞれに定めた回転中心の周りで前記羽根板それぞれの端部が上下に移動可能となる構成であって、
前記降雨センサは、前記複数の羽根板から選択した羽根板において、前記回転中心の周りに結合する取付部を備える
ことを特徴とする請求項５又は６記載のルーバ装置。
【請求項８】
前記取付部は、前記選択した羽根板において前記回転中心の周りに形成された貫通孔を通り、かつ前記回転中心である軸部を通す形状に形成された掴み部を備える
ことを特徴とする請求項７記載のルーバ装置。
【請求項９】
前記ルーバは、屋内と屋外との間の開口部に設置した窓または戸との間に空間を形成するように配置され、
前記降雨センサは、前記センシング部を前記空間内に配置するように、前記ルーバに結合しており、
前記取付部は、前記センシング部において雨滴の付着を検知する面が、前記ルーバとの間の距離よりも前記窓または戸との距離を小さくするように、前記選択した羽根板の前記回転中心に対して屋内側に延びた支持脚を備えている
ことを特徴とする請求項７又は８記載のルーバ装置。
【発明の詳細な説明】
【技術分野】
【０００１】
本発明は、降雨センサ、ルーバ装置に関し、とくに、建物に設置される降雨センサ、およびこの降雨センサを備えるルーバ装置に関する。
【背景技術】
【０００２】
従来、屋内外を連通する開口部に取り付けられた窓枠と、窓枠に窓ガラスが設けられた窓ガラスと、窓ガラスを開閉する駆動手段とを備え、窓枠の一部である縦枠に複数の雨滴センサ（降雨センサ）を上下に設けた窓装置が提案されている（特許文献１参照）。この窓装置は、雨滴センサで雨滴が検出されたかに応じて、窓ガラスの昇降位置を制御するように構成されている。また、雨滴センサは、窓枠の上方に庇部材を設けた建物に適用されることが記載されている。すなわち、特許文献１に記載された構成は、降雨を検出した雨滴センサの位置に応じた高さに窓ガラスを上下させる構成であり、雨滴が屋内に浸入しないように窓の開閉量を調節することが可能になっている。
【０００３】
また、特許文献２には、雨センサー（降雨センサ）を用いて、雨のときにはルーバを閉じ、晴のときにルーバを開くようにしたルーバ駆動制御装置が開示されている。
【先行技術文献】
【特許文献】
【０００４】
【特許文献１】特開２００８−２０８６５１号公報
【特許文献２】特開平３−２９６６５２号公報
【発明の概要】
【発明が解決しようとする課題】
【０００５】
特許文献１に記載された構成では、屋内に雨滴が浸入する可能性があるときに、雨滴が浸入しないように窓の開閉量を調節することが可能であるが、複数の雨滴センサが必要になる。つまり、雨量あるいは風速に応じて窓の開閉量を調節することが可能であるが、複数の雨滴センサが必要であるからコスト高になる。
【０００６】
一方、特許文献２に記載された構成では、単一の雨センサーでルーバの開閉を制御しており、雨センサーは晴雨の別を判断できる。しかしながら、雨センサーは小雨程度でも雨天と判断する可能性があり、屋内に雨滴が浸入する可能性の有無に応じたルーバの制御はできない。
【０００７】
本発明は、屋内に雨滴が浸入する可能性があるか否かを単一のセンサで検出することを可能にした降雨センサを提供することを目的とし、さらに、この降雨センサを備えるルーバ装置を提供することを目的とする。
【課題を解決するための手段】
【０００８】
本発明に係る降雨センサは、屋外に露出した建具に取り付けられるフレームと、前記フレームに設けられたセンシング部とを備え、前記建具は、複数の羽根板が上下に並ぶルーバを含み、前記センシング部は、雨滴の付着により降雨を検出する構成であり、前記フレームは、前記センシング部において雨滴の付着を検知する面が、前記ルーバに対して屋内側かつ前記複数の羽根板が並ぶ面に沿うように配置されることを特徴とする。
【０００９】
本発明に係るルーバ装置は、複数の羽根板が上下に並び、かつ屋外に露出するルーバと、雨滴の付着により降雨を検出するセンシング部を備えた降雨センサとを備え、前記降雨センサは、前記センシング部において雨滴の付着を検知する面が、前記ルーバに対して屋内側に位置しかつ前記複数の羽根板が並ぶ面に沿うように前記ルーバに取り付けられていることを特徴とする。
【発明の効果】
【００１０】
本発明の構成によれば、屋内に雨滴が浸入する可能性があることを単一のセンサで検出することが可能になるという利点を有する。
【図面の簡単な説明】
【００１１】
【図１】実施形態を示す概略斜視図である。
【図２】実施形態のルーバ装置を示す正面図である。
【図３】実施形態のルーバ装置の一部を示す斜視図である。
【図４】実施形態の降雨センサを示す斜視図である。
【図５】実施形態の一部を示す側面図である。
【図６】実施形態の一部を示す斜視図である。
【図７】実施形態における他の構成例の一部を示す側面図である。
【図８】実施形態におけるさらに他の構成の一部を示す側面図である。
【発明を実施するための形態】
【００１２】
以下に説明する降雨センサは、建物において屋外に露出する建具に取り付けられた状態で使用されることを想定している。本実施形態でいう建具は、複数の羽根板が上下に並ぶルーバを備える構成であり、この建具を通して屋外と屋内との間で通気する換気機能を実現するように構成されている。
【００１３】
建具に設けられたルーバは、複数の羽根板それぞれに定めた回転中心の周りで羽根板それぞれの端部が上下に移動可能になる構成と、複数の羽根板が固定された構成とのいずれかが採用される。この種のルーバを備える建具には、外付けブラインド、雨戸、ジャロジー窓などがある。ルーバは、換気機能のほか、屋外から屋内への光の入射を抑制する機能（日よけ機能）、屋外からの雨の浸入を抑制する機能（雨よけ機能）、屋外からの視線を遮る機能（目隠し機能）などの各種機能を実現する。
【００１４】
この種の建具は、ジャロジー窓のように建物の開口部を開閉する機能を有するように構成される構成と、外付けブラインドあるいは雨戸のように、建物の開口部を開閉する窓あるいは戸などの屋外側に配置される構成とがある。この種の建具を用いて建物の自然換気を行う場合、雨天時であっても、風速が小さく雨量が少なければ通気可能にし、風速が大きいか雨量が多ければ建物の開口部を閉じることが望ましい。なお、雨天時は、降雪時と読み替えてもよい。
【００１５】
以下に説明する降雨センサは、風速および雨量が建物の開口部を閉じる程度であるか否かを判断するように構成されている。つまり、降雨センサは、雨が屋内に吹き込む程度か否かを判断するように構成されている。本実施形態では、建具が外付けブラインドである場合を例として説明する。また、本実施形態では、建具の屋内側に、建物の開口部を開閉する窓が形成されている場合を例として説明する。なお、以下に説明する実施形態の構成は一例であり、建具の配置、建具の種類などが異なる場合でも、以下に説明する技術と同様の効果が期待できる。
【００１６】
本実施形態では、図１に示すように、建物３０の開口部３１に設けられた引き違い窓３２の屋外側に、建具２０が配置されている場合を例としている。ここでの引き違い窓３２は、床面よりも高い位置に配置されている腰高窓を想定しているが、床面と同じ高さに配置された掃き出し窓などであってもよい。
【００１７】
建具２０は、複数の羽根板２２が上下に並ぶルーバ２１を備える。図２、図３に示すルーバ２１は、羽根板２２をレール２３で案内する構造であり、上下方向に沿った２本のレール２３の間に羽根板２２が配置されている。羽根板２２の長手方向（横方向）の両端からはガイドピン２２１が突出し、ガイドピン２２１の先端部はレール２３に挿入される。羽根板２２の材料は、合成樹脂で被覆された薄肉の金属板、金属の押出成形品、合成樹脂の成形品、木質板などから選択される。
【００１８】
羽根板２２は、ガイドピン２２１を回転中心として回転可能に配置される。すなわち、複数の羽根板２２は、回転中心であるガイドピン２２１の周りで、羽根板２２それぞれの幅方向の端部が上下に移動可能になるように配置される。言い換えると、ルーバ２１は、羽根板２２の角度を変化させることが可能になるように構成されている。ガイドピン２２１は、羽根板２２の幅方向において中央部あるいは一端寄りに設けられる。
【００１９】
羽根板２２の角度を変化させる機構は周知の構成である。一例を言えば、羽根板２２に結合されたワイヤを通して羽根板２２に回転力を作用させる構成、またはレール２３の内部に配置されたチェーンを通してガイドピン２２１に回転力を作用させる構成などが採用される。また、羽根板２２の角度を変化させる機構は、ルーバ２１に設けられた複数の羽根板２２の角度が同じになるように構成される。
【００２０】
上下に隣り合う羽根板２２の間に隙間を形成するように羽根板２２の角度が調節された状態では、屋外と屋内との間で空気を流通させることが可能である。また、上下に隣り合う羽根板２２の間に隙間が形成されないように羽根板２２の角度が調節された状態では、空気の流通が抑制され、かつ屋内への風雨の浸入が低減される。
【００２１】
なお、ルーバ２１は、羽根板２２がレール２３に沿って上下に移動するように構成されていることが望ましいが、羽根板２２が上下に移動せず、羽根板２２の角度が可変である構成であってもよい。
【００２２】
本実施形態の降雨センサ１０は、図４に示すように、上述のような建具２０に取り付けられるフレーム１１を備える。降雨センサ１０は、ルーバ２１と引き違い窓３２との間に配置される。また、フレーム１１には、降雨を検知するセンシング部１２が設けられる。つまり、フレーム１１は、センシング部１２を取り付けた板状の台座１１１と、台座１１１を建具２０に結合する取付部１１２とを備える。
【００２３】
センシング部１２としては、たとえば、雨滴の付着による電気抵抗の変化を利用する構成、あるいは雨滴の付着による静電容量の変化を利用する構成が知られている。センシング部１２は、降雨時に雨滴の付着を検知する面が屋外側に露出するように配置され、降雨センサ１０は、センシング部１２に所要量の雨滴が付着したときに降雨と判断する判断回路を備える。
【００２４】
フレーム１１は、台座１１１においてセンシング部１２を取り付けた面から複数個（たとえば、４個）の取付部１１２を備える。台座１１１は矩形板状に形成され、台座１１１の中央部にセンシング部１２が設けられている。取付部１１２は、降雨センサ１０を建具２０に結合可能な形状に形成され、図４に示す例では、建具２０に結合する断面弧状の掴み部１１３を取付部１１２の先端部に備える。また、取付部１１２は、台座１１１と掴み部１１３との間をつなぐ支持脚１１４を備える。言い換えると、台座１１１の四隅から支持脚１１４がそれぞれ突出し、支持脚１１４それぞれの先端部に掴み部１１３が一体に形成されている。掴み部１１３および支持脚１１４は金属板あるいは合成樹脂板により形成されている。
【００２５】
降雨センサ１０を建具２０に取り付ける場合、図５に示すように、引違い窓３２とルーバ２１との間の空間に降雨センサ１０を配置し、ルーバ２１の羽根板２２に降雨センサ１０を結合させる。すなわち、ルーバ２１の羽根板２２から選択した一部の羽根板２２（本実施形態では２枚の羽根板２２）に掴み部１１３を結合させる。支持脚１１４は、掴み部１１３が羽根板２２に結合した位置から屋内側に延びているから、ルーバ２１とセンシング部１２との間の距離を保つように機能する。
【００２６】
本実施形態では、図６に示すように、選択された羽根板２２において、回転中心である軸部２２２の周囲に貫通孔２２３が設けられる。軸部２２２は、ガイドピン２２１と同軸上に形成されている。つまり、軸部２２２とガイドピン２２１とは一直線上に形成されている。貫通孔２２３は、羽根板２２において軸部２２２を囲む部位に形成される。
【００２７】
降雨センサ１０をルーバ２１に取り付けるには、貫通孔２２３が形成されている部位において、掴み部１１３を軸部２２２に取り付ける。掴み部１１３は、弾性を有する材料で形成されており、掴み部１１３を軸部２２２に装着すると、掴み部１１３から軸部２２２に弾性力が作用するように、軸部２２２と掴み部１１３との寸法が定められている。すなわち、掴み部１１３の内寸（内径）は、軸部２２２の外寸（外径）より小さい。
【００２８】
降雨センサ１０には４本の支持脚１１４が形成されており、支持脚１１４のそれぞれに設けられた掴み部１１３が、羽根板２２に結合される。この状態で、台座１１１がルーバ２１から所定の距離（支持脚１１４の長さに相当する距離）だけ離れた状態で、降雨センサ１０がルーバ２１に取り付けられる。降雨センサ１０をルーバ２１に取り付けた状態では、掴み部１１３に軸部２２２が通り、掴み部１１３の一部が貫通孔２２３に通る状態になる。このように掴み部１１３の一部が貫通孔２２３を通ることにより、貫通孔２２３を設けていない場合よりも、掴み部１１３が軸部２２２に掛かる寸法が大きくなり、結果的に、降雨センサ１０のルーバ２１に対する固定の強度が高められる。
【００２９】
本実施形態では、降雨センサ１０が３枚の羽根板２２に跨がるように取り付けられており、３枚の羽根板２２のうちの上段と下段との羽根板２２の軸部２２２に、掴み部１１３が２個ずつ装着されている。この構造では、１枚の羽根板２２の２箇所に掴み部１１３が取り付けられることにより、ルーバ２１に対して降雨センサ１０が左右に傾くことが防止される。また、上下に離れた２枚の羽根板２２に掴み部１１３が取り付けられることにより、ルーバ２１に対して降雨センサ１０が前後（ルーバ２１の厚み方向）に傾くことが防止される。
【００３０】
ルーバ２１において降雨センサ１０が取り付けられる位置は、ルーバ２１の下部であることが望ましい。すなわち、一般的に言って、引違い窓３２が開放されている状態に、引違い窓３２の上部よりも下部のほうが雨滴が室内に浸入しやすいという知見に基づいている。この知見によれば、ルーバ２１の下部で雨滴を検知すれば、雨の降り始めから早期に雨滴を検出することが可能になると言える。とくに、建具２０の上方に軒あるいは庇が張り出している場合、ルーバ２１の上部に降雨センサ１０が配置されていても雨滴を検知することが困難である。これに対して、本実施形態は、ルーバ２１の下部に降雨センサ１０が配置されているから、軒あるいは庇があっても雨滴の検出が可能になる。
【００３１】
一方、降雨センサ１０は、ルーバ２１に対して屋内側かつ引違い窓３２に対して屋外側に配置され、しかもセンシング部１２は、雨滴の付着を検知する面が羽根板２２が並ぶ方向に沿うように取り付けられている。そのため、降雨センサ１０がルーバ２１の外側に配置されている状態、あるいは雨滴の付着を検知する面が上方を向いている状態に比べると、センシング部１２には雨滴がかかりにくい構成を採用している。すなわち、雨量が少なく風速が小さい場合であって、引違い窓３２が開放されていても雨滴が屋内に浸入する可能性がなければ、センシング部１２に雨滴がかからず、降雨センサ１０は降雨を検出しない。言い換えると、雨滴が屋内に浸入する程度の降雨だけを検出するように、降雨センサ１０の感度が調節されていると言える。
【００３２】
さらに、降雨センサ１０は支持脚１１４を備えており、ルーバ２１に降雨センサ１０を取り付けた状態で、センシング部１２がルーバ２１から離れるから、降雨時にルーバ２１を伝う雨滴がセンシング部１２に付着することがない。したがって、降雨センサ１０は、雨滴が屋内に浸入する可能性が高い場合だけを検出することになる。
【００３３】
以上説明したように、本実施形態の構成を採用すると、降雨センサ１０は、弱い雨であって屋内に雨滴が浸入する可能性が低い場合には降雨を検出せず、強い雨であって屋内に雨滴が浸入する可能性が高い場合には降雨を検出することが可能になる。たとえば、降雨センサ１０での降雨の検出結果に応じて引違い窓３２を自動的に開閉するように制御している場合であれば、引違い窓３２の開閉の頻度を低減することが可能になる。
【００３４】
降雨センサ１０の検出結果は、報知音のような聴覚的手段、あるいは表示灯の点灯のような視覚的手段によってユーザに報知すればよい。また、ユーザが携帯する移動体電話機（スマートフォンを含む）のような端末装置に、降雨センサ１０の検出結果を通知する構成を採用してもよい。
【００３５】
上述した構成例では、掴み部１１３が弾性を有する材料で形成されているが、掴み部１１３は塑性変形する構成であってもよく、たとえば、掴み部１１３は軸部２２２に巻き付ける構成であってもよい。本実施形態において、支持脚１１４は板状である例を示しているが、支持脚１１４は、棒状あるいは筒状であってもよい。また、上述した構成例では、フレーム１１の台座１１１が矩形板状であるが、台座１１１の形状は適宜に定めることが可能であり、たとえば円形状、三角形状などであってもよい。
【００３６】
図７に示すように、支持脚１１４を備えていないフレーム１１を用いることも可能である。この構成を採用する場合であっても、降雨センサ１０は上述した構成例と同様の構造でルーバ２１に取り付けることが可能である。ただし、図７に示す構成を採用する場合は、降雨センサ１０におけるセンシング部１２が上下に隣り合う羽根板２２の間に位置する構成を採用し、センシング部１２がルーバ２１に触れないようにすることが望ましい。
【００３７】
図８に示す構成は、取付部１１２の変形例であって、羽根板２２の下面側に貼り付けられる固定部１１５と、支持脚１１４に固定部１１５を連結する関節１１６とを取付部１１２に設けている。関節１１６は、支持脚１１４に対する固定部１１５の角度を可変にしている。この構造によっても、羽根板２２の角度の変化を可能にしながらも降雨センサ１０をルーバ２１から離れた位置に保持することが可能である。
【００３８】
また、上述した構成例では、羽根板２２の角度が可変であるルーバ２１に降雨センサ１０を取り付ける例を示したが、羽根板２２の角度が固定であるルーバ２１であっても降雨センサ１０を取り付けることが可能である。上述した構成例において、ルーバ２１を備える建具２０の屋内側に引違い窓３２を設けているが、引違い窓３２ではなく内開きのスイング窓、あるいは窓ではない扉などが設けられていてもよい。
【００３９】
また、ルーバ２１に取り付けることが可能な降雨センサ１０について説明したが、降雨センサ１０がルーバ２１にあらかじめ取り付けられているルーバ装置を提供することも可能である。
【００４０】
以上のように本実施形態で説明した降雨センサ１０は、屋外に露出した建具２０に取り付けられるフレーム１１と、フレーム１１に設けられたセンシング部１２とを備える。建具２０は、複数の羽根板２２が上下に並ぶルーバ２１を含む。センシング部１２は、雨滴の付着により降雨を検出する構成である。フレーム１１は、センシング部１２において雨滴の付着を検知する面が、ルーバ２１に対して屋内側に位置しかつ複数の羽根板２２が並ぶ面に沿うように配置される。
【００４１】
すなわち、雨滴が付着したときに降雨を検出する降雨センサ１０をルーバ２１に取り付け、センシング部１２において雨滴を検知する面を、ルーバ２１に対して屋内側になり、かつ羽根板２２が並ぶ面に沿うように配置している。この構成により、雨量が少なく風速が小さい小雨であって、屋内に雨滴が浸入する可能性がない場合には、センシング部１２に雨滴が付着せず、屋内に雨滴が浸入する可能性がある場合にだけ、降雨センサ１０で雨滴が検出される。
【００４２】
また、ルーバ２１は、複数の羽根板２２それぞれに定めた回転中心の周りで羽根板２２それぞれの端部が上下に移動可能となる構成であってもよい。この場合、フレーム１１は、複数の羽根板２２から選択した羽根板２２において、回転中心の周りに結合する取付部１１２を備えることが望ましい。
【００４３】
この構成によれば、降雨センサ１０が、羽根板２２の回転中心の周りに結合する取付部１１２を備えるから、羽根板２２が可動式であってもルーバ２１に取り付けることが可能である。
【００４４】
また、取付部１１２は、選択した羽根板２２において回転中心の周りに形成された貫通孔２２３を通り、かつ回転中心である軸部２２２を通す形状に形成された掴み部１１３を備えることが望ましい。
【００４５】
この構成によれば、掴み部１１３が軸部２２２を通し、かつ掴み部１１３が軸部２２２の周りに形成された貫通孔２２３を通るから、掴み部１１３が軸部２２２に掛かる寸法が大きくなる上に、掴み部１１３が羽根板２２の回転を阻害することがない。
【００４６】
さらに、取付部１１２は、選択した羽根板２２の回転中心に対して屋内側に延びた支持脚１１４を備えていることが望ましい。
【００４７】
この構成によれば、支持脚１１４によってセンシング部１２をルーバ２１から引き離すことが可能になるから、ルーバ２１を伝う雨滴がセンシング部１２に付着する可能性が低減される。つまり、ルーバ２１を伝う雨滴で降雨を検出することが防止され、雨滴が屋内に浸入する程度の強雨の場合だけを検出することが可能になる。
【００４８】
上述したルーバ装置は、複数の羽根板２２が上下に並び、かつ屋外に露出するルーバ２１と、雨滴の付着により降雨を検出するセンシング部１２を有する降雨センサ１０とを備えることが望ましい。降雨センサ１０は、センシング部１２において雨滴の付着を検知する面が、ルーバ２１に対して屋内側に位置しかつ複数の羽根板２２が並ぶ面に沿うようにルーバ２１に取り付けられていることが望ましい。
【００４９】
この構成によれば、雨量が少なく風速が小さい小雨であって、屋内に雨滴が浸入する可能性がない場合には、センシング部１２に雨滴が付着せず、屋内に雨滴が浸入する可能性がある場合にだけ、降雨センサ１０で雨滴が検出される。そして、建物３０にルーバ装置を設置すれば、降雨センサ１０も設置されるから、ルーバ装置を利用して感度を調節した降雨センサ１０をルーバ装置の施工と同時に建物に設けることが可能になる。
【００５０】
また、降雨センサ１０は、ルーバ２１の下部に配置されていることが望ましい。
【００５１】
一般に、ルーバ２１を通して屋内に雨滴が浸入する場合、ルーバ２１の下部のほうが雨滴が浸入しやすいと考えられるから、降雨センサ１０がルーバ２１の下部に配置されていることにより、降雨を迅速に検出することが可能になる。また、ルーバ２１の上方に軒あるいは庇が張り出している場合、降雨の検出が遅れることがあるが、降雨センサ１０がルーバ２１の下部に配置されているから、降雨センサ１０は軒あるいは庇の影響を受けにくく、降雨を比較的早期に検出することが可能である。
【００５２】
ルーバ２１は、複数の羽根板２２それぞれに定めた回転中心の周りで羽根板２２それぞれの端部が上下に移動可能となる構成であることが望ましい。また、降雨センサ１０は、複数の羽根板２２から選択した羽根板２２において、回転中心の周りに結合する取付部１１２を備えることが望ましい。
【００５３】
この構成によれば、降雨センサ１０が羽根板２２の回転中心の周りに結合する取付部１１２を備えるから、可動式の羽根板２２を備え、かつ降雨センサを備えたルーバ装置を提供することが可能である。
【００５４】
この構成において、取付部１１２は、選択した羽根板２２において回転中心の周りに形成された貫通孔２２３を通り、かつ回転中心である軸部２２２を通す形状に形成された掴み部１１３を備えることが望ましい。
【００５５】
この構成によれば、掴み部１１３が軸部２２２を通し、かつ掴み部１１３が軸部２２２の周りに形成された貫通孔２２３を通るから、掴み部１１３が軸部２２２に掛かる寸法が大きくなる上に、掴み部１１３が羽根板２２の回転を阻害することがない。
【００５６】
ルーバ２１は、屋内と屋外との間の開口部３１に設置した窓または戸との間に空間を形成するように配置され、降雨センサ１０は、センシング部１２を前記空間内に配置するように、ルーバ２１に結合していることが望ましい。また、取付部１１２は、センシング部１２において雨滴の付着を検知する面が、ルーバ２１との間の距離よりも窓または戸との距離を小さくするように、選択した羽根板２２の回転中心に対して屋内側に延びた支持脚１１４を備えていることが望ましい。
【００５７】
この構成によれば、支持脚１１４によってセンシング部１２をルーバ２１から引き離すことが可能になるから、ルーバ２１を伝う雨滴がセンシング部１２に付着する可能性が低減される。つまり、ルーバ２１を伝う雨滴で降雨を検出することが防止され、雨滴が屋内に浸入する程度の強雨の場合だけを検出することが可能になる。また、ルーバ２１に対して屋内側に位置する窓または戸を開放しているときに、窓または戸から屋内に雨滴が浸入する可能性があるときには、センシング部１２に雨滴が付着するから、雨滴が浸入する可能性のある降雨は、迅速に検出される。
【００５８】
上述した構成例では、建具２０がルーバ２１を備える場合について説明したが、建具２０がルーバ２１を備えていない網戸または面格子に降雨センサ１０を取り付けることも可能である。たとえば、建具２０が、網戸あるいは面格子であっても、センシング部１２において雨滴の付着を検知する面と建具２０との距離を調節すれば、降雨に対するセンシング部１２の感度を調節する効果が得られる。
【００５９】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００６０】
１０  降雨センサ
１１  フレーム
１２  センシング部
２０  建具
２１  ルーバ
２２  羽根板
３０  建物
３１  開口部
１１２  取付部
１１３  掴み部
１１４  支持脚
２２２  軸部
２２３  貫通孔
【図１】
2016156224.tif 000003
【図２】
2016156224.tif 000004
【図３】
2016156224.tif 000005
【図４】
2016156224.tif 000006
【図５】
2016156224.tif 000007
【図６】
2016156224.tif 000008
【図７】
2016156224.tif 000009
【図８】
2016156224.tif 000010